(57)【要約】【課題】携帯電話を用いて、分かりやすいユーザインタフェースで簡単に合成動画を作成できるようにした合成動画作成システムを提供する。【解決手段】  サーバ装置は、オリジナル動画を装飾する動画であるＭＯＳを複数記憶するＭＯＳ記憶部、携帯電話からオリジナル動画およびＭＯＳ選択情報を受信する通信部、オリジナル動画に選択されたＭＯＳを合成する動画合成部、合成動画を所定のＵＲＬでインターネット上に公開するＷＥＢサーバ部を備える。携帯電話は、オリジナル動画を撮影する動画撮影部、ＭＯＳを複数の候補のなかから選択するＭＯＳ選択部、オリジナル動画およびＭＯＳ選択情報をサーバ装置に対して送信するとともに、前記オリジナル動画に前記選択されたＭＯＳが合成れた合成動画が公開されているＵＲＬを受信する通信部を備える。【選択図】図１
2011091725.tif 000002
【特許請求の範囲】
【請求項１】
携帯電話で撮影された動画であるオリジナル動画を装飾する動画であるＭＯＳ（Ｍｏｎｏｇａｔａｒｉ  Ｓｔａｍｐ）を複数記憶するＭＯＳ記憶部と、
前記携帯電話から前記オリジナル動画を受信するとともに、前記複数のＭＯＳのうちいずれかを選択するＭＯＳ選択情報を受信する通信部と、
前記オリジナル動画に前記選択されたＭＯＳを合成する動画合成部と、
合成された動画を所定のＵＲＬでインターネット上に公開するＷＥＢサーバ部と、
を備え、
前記通信部は、前記所定のＵＲＬを前記携帯電話に対して電子メールで通知するサーバ装置。
【請求項２】
前記通信部は、前記携帯電話から、前記選択されたＭＯＳを前記オリジナル動画に合成する画面上の位置および／または時間軸上の位置を調整するＭＯＳ配置情報をさらに受信し、
前記動画合成部は、前記選択されたＭＯＳを前記オリジナル動画の前記ＭＯＳ配置情報で指定された画面上の位置および／または時間軸上の位置に合成する請求項１に記載のサーバ装置。
【請求項３】
テキストデータの内容を解析するテキスト解析部をさらに備え、
前記通信部は、前記ＭＯＳ配置情報として、オリジナル動画にＭＯＳを合成する時間軸上の位置を指示する内容のテキストデータおよびオリジナル動画にＭＯＳを合成する画面上の位置を指示する内容のテキストデータを受信して、これらを前記テキスト解析部に入力する請求項２に記載のサーバ装置。
【請求項４】
前記通信部は、前記オリジナル動画を電子メールで受信し、前記ＭＯＳ選択情報および前記ＭＯＳ配置情報をＷＥＢ経由で受信する請求項２または請求項３に記載のサーバ装置。
【請求項５】
前記ＭＯＳ記憶部は、前記ＭＯＳとして、意味を含有させた動画スタンプや、動画エフェクトをつけた文字またはテロップ等の動画を記憶している請求項１乃至請求項４のいずれかに記載のサーバ装置。
【請求項６】
オリジナル動画を撮影する動画撮影部と、
前記オリジナル動画を装飾する動画であるＭＯＳ（Ｍｏｎｏｇａｔａｒｉ  Ｓｔａｍｐ）を複数の候補のなかから選択する選択操作を受け付けるＭＯＳ選択部と、
前記オリジナル動画および前記ＭＯＳ選択部によるＭＯＳ選択情報をサーバ装置に対して送信するとともに、前記オリジナル動画に前記選択されたＭＯＳが合成された合成動画が公開されているＵＲＬを受信する通信部と、
を備えた携帯電話。
【請求項７】
前記選択されたＭＯＳを前記オリジナル動画に合成する画面上の位置および／または時間軸上の位置を調整するＭＯＳ配置情報の入力を受け付けるＭＯＳ配置情報入力部をさらに備え、
前記通信部は、入力されたＭＯＳ配置情報を前記サーバ装置にさらに送信する請求項６に記載の携帯電話。
【請求項８】
前記ＭＯＳ配置情報入力部は、前記ＭＯＳ配置情報として、オリジナル動画にＭＯＳを合成する時間軸上の位置を指示する内容のテキストデータおよびオリジナル動画にＭＯＳを合成する画面上の位置を指示する内容のテキストデータの入力を受け付ける請求項７に記載の携帯電話。
【請求項９】
請求項１に記載のサーバ装置と、請求項６に記載の携帯電話と、を含む機器で構成される合成動画作成システム。
【発明の詳細な説明】
【技術分野】
【０００１】
この発明は、携帯電話で撮影した動画に他の動画を合成して合成動画を作成する合成動画作成システムに関する。
【背景技術】
【０００２】
民生用のビデオカメラの普及が著しく、誰でも簡単にビデオ撮影ができるようになっている。また、ビデオカメラが付属した携帯電話も普及している。またさらに、動画映像の処理技術および処理装置の高度化が進んでおり動画に対して動画を合成することも一般的になっている（たとえば特許文献１など）。
【先行技術文献】
【特許文献】
【０００３】
【特許文献１】特開２００７−２８００６９号公報
【発明の概要】
【発明が解決しようとする課題】
【０００４】
上記のようにビデオカメラの普及は著しいが、いわゆる素人の撮影した動画は、たとえある意図を持って撮影されたものであってもその意図が試聴者に伝わらず「意味不明」なものが多い。そこで、動画像の処理技術を用いてテロップの付加的な画像を合成すれば、視聴者に意味が判る映像にすることができる。
【０００５】
しかし、上記のように携帯電話で撮影された動画の場合、携帯電話でテロップ等の付加的な画像を合成することは機能上困難であった。
【０００６】
この発明は、携帯電話とサーバ装置とで携帯電話で撮影した動画等のデータを送受信させることにより、携帯電話を用いて、分かりやすいユーザインタフェースで簡単に合成動画を作成できるようにした合成動画作成システムを提供することを目的とする。
【課題を解決するための手段】
【０００７】
請求項１の発明であるサーバ装置は、携帯電話で撮影された動画であるオリジナル動画を装飾する動画であるＭＯＳ（Ｍｏｎｏｇａｔａｒｉ  Ｓｔａｍｐ）を複数記憶するＭＯＳ記憶部と、前記携帯電話から前記オリジナル動画を受信するとともに、前記複数のＭＯＳのうちいずれかを選択するＭＯＳ選択情報を受信する通信部と、前記オリジナル動画に前記選択されたＭＯＳを合成する動画合成部と、合成された動画を所定のＵＲＬでインターネット上に公開するＷＥＢサーバ部と、を備え、前記通信部は、前記所定のＵＲＬを前記携帯電話に対して電子メールで通知することを特徴とする。
【０００８】
請求項２の発明は、請求項１の発明において、前記通信部は、前記携帯電話から、前記選択されたＭＯＳを前記オリジナル動画に合成する画面上の位置および／または時間軸上の位置を調整するＭＯＳ配置情報をさらに受信し、前記動画合成部は、前記選択されたＭＯＳを前記オリジナル動画の前記ＭＯＳ配置情報で指定された画面上の位置および／または時間軸上の位置に合成することを特徴とする。
【０００９】
請求項３の発明は、請求項２の発明において、テキストデータの内容を解析するテキスト解析部をさらに備え、前記通信部は、前記ＭＯＳ配置情報として、オリジナル動画にＭＯＳを合成する時間軸上の位置を指示する内容のテキストデータおよびオリジナル動画にＭＯＳを合成する画面上の位置を指示する内容のテキストデータを受信して、これらを前記テキスト解析部に入力することを特徴とする。
【００１０】
請求項４の発明は、請求項２、３の発明において、前記通信部は、前記オリジナル動画を電子メールで受信し、前記ＭＯＳ選択情報および前記ＭＯＳ配置情報をＷＥＢ経由で受信することを特徴とする。
【００１１】
請求項５の発明は、請求項１〜４の発明において、前記ＭＯＳ記憶部は、前記ＭＯＳとして、意味を含有させた動画スタンプや、動画エフェクトをつけた文字またはテロップ等の動画を記憶していることを特徴とする。
【００１２】
請求項６の発明である携帯電話は、オリジナル動画を撮影する動画撮影部と、前記オリジナル動画を装飾する動画であるＭＯＳ（Ｍｏｎｏｇａｔａｒｉ  Ｓｔａｍｐ）を複数の候補のなかから選択する選択操作を受け付けるＭＯＳ選択部と、前記オリジナル動画および前記ＭＯＳ選択部によるＭＯＳ選択情報をサーバ装置に対して送信するとともに、前記オリジナル動画に前記選択されたＭＯＳが合成された合成動画が公開されているＵＲＬを受信する通信部と、を備えたことを特徴とする。
【００１３】
請求項７の発明は、請求項６の発明において、前記通信部は、前記選択されたＭＯＳを前記オリジナル動画に合成する画面上の位置および／または時間軸上の位置を調整する修正情報を、前記サーバ装置にさらに送信することを特徴とする。
【００１４】
請求項８の発明は、請求項７の発明において、前記ＭＯＳ配置情報入力部は、前記ＭＯＳ配置情報として、オリジナル動画にＭＯＳを合成する時間軸上の位置を指示する内容のテキストデータおよびオリジナル動画にＭＯＳを合成する画面上の位置を指示する内容のテキストデータの入力を受け付けることを特徴とする。
【００１５】
請求項９の発明は、請求項１に記載のサーバ装置と、請求項６に記載の携帯電話と、を含む機器で構成される合成動画作成システムである。
【発明の効果】
【００１６】
この発明によれば、サーバ装置が携帯電話から受信したオリジナル動画に装飾的な動画であるＭＯＳを合成するため、携帯電話ではオリジナル動画を撮影しＭＯＳを選択するのみで合成動画を作成することが可能になる。
【図面の簡単な説明】
【００１７】
【図１】この発明の実施形態である合成動画作成システムの構成図
【図２】このシステムで作成される合成動画の内容の一例を示す図
【図３】このシステムにおける動画合成の手順を示す図
【図４】このシステムにおける動画合成の手順を示す図
【図５】携帯電話に表示されるＭＯＳ選択ページの例を示す図
【図６】携帯電話に表示されるＭＯＳの出現タイミング・位置の修正ページの例を示す図
【図７】このシステムにおける合成動画閲覧の手順を示す図
【発明を実施するための形態】
【００１８】
図面を参照してこの発明の実施形態である合成動画作成システムについて説明する。この合成動画作成システムは、携帯電話で撮影した所定時間（たとえば１５秒）の動画（オリジナル動画）に、ＭＯＳ(Monogatari Stamp)を合成することにより、撮影者が意図するメッセージ性が付与または強調された動画（合成動画）を作成し、この合成動画をサーバに保存して公衆に対して閲覧可能にするシステムである。
【００１９】
ここで、ＭＯＳとは、意味を含有させた動画スタンプ、すなわち、特定の意味を有する図形（スタンプ）を画面内で動かす動画や、動画エフェクトをつけた文字またはテロップ等である。特定の意味を有する図形とは、たとえば、愛情の意味を有するハートマークや爆発の意味を有する毬状の図形等である。また、動画エフェクトとは、たとえば、文字を徐々に拡大したり画面内で動かしたりするエフェクトである。ＭＯＳの詳細については後述する。
【００２０】
図１は合成動画作成システムのシステム構成図である。合成動画作成システムは、少なくともサーバ装置１、携帯電話２を備える。サーバ装置１は、携帯電話網３およびインターネット４に接続されている。携帯電話２は、携帯電話網３を介してサーバ装置１に接続される。携帯電話網３はゲートウェイ５を介してインターネット４にも接続されており、この携帯電話網３−ゲートウェイ５−インターネット４の経路で携帯電話２もインターネットに接続される。また、インターネット４には一般のパーソナルコンピュータ（パソコン）６も接続される。
【００２１】
サーバ装置１は制御部１０を備えている。制御部１０はＣＰＵを備え、プログラムにより動画編集合成部１５、ＷＥＢサーバ部１６、メールサーバ・クライアント１７、テキストコマンド解析部１８を機能的に内蔵している。また、サーバ装置１には、動画記憶部１１、ＭＯＳ記憶部１２、電話網通信部１３、ネットワーク制御部１４が接続されている。
【００２２】
ＭＯＳ記憶部１２は、オリジナル動画に合成するＭＯＳを記憶した記憶部である。動画編集合成部１５は、携帯電話２から受信したオリジナル動画にＭＯＳを合成して合成動画を作成する機能部である。また、動画編集合成部１５は、携帯電話２から送られてくるコマンドに基づいてオリジナル動画に対するＭＯＳの合成タイミング・位置を修正する。
【００２３】
上記コマンドとして、この実施形態では、テキストベースのコマンドであるテキストコマンドを用いている。テキストコマンドとは、オリジナル動画にＭＯＳを合成するタイミングを指示するコマンドとして、「ちょっと後」などのプレーンテキストを用いたものである。合成位置を指示するコマンドも同様である。
【００２４】
サーバ装置１のテキストコマンド解析部１８が、携帯電話２から受信したテキストコマンドの意味を解析し、指示内容を動画編集合成部１５に転送する。テキストコマンド解析部１８は、テキストコマンドを直接自然言語解析するとともに、過去のテキストコマンドおよびその解析結果を蓄積記憶したデータベースも参照して最適な指示内容（偏差値）を選択する。
【００２５】
メールサーバクライアント１７は、携帯電話２とメールを送受信するためのメールアカウントを作成し、そのメールアカウントを用いて携帯電話２からオリジナル動画を受信し、合成動画のＵＲＬを送信する。動画編集合成部１５は、テキストコマンド解析部１８によって解析されたテキストコマンドの内容に応じてオリジナル動画に対するＭＯＳの合成タイミング・位置を修正する。動画記憶部１１は、携帯電話２から受信したオリジナル動画、動画編集合成部１５で作成された合成動画等を記憶する記憶部である。ＷＥＢサーバ部１６は、ＷＥＢページを作成してインターネット４上に公開する機能部である。ＷＥＢサーバ部１６が作成するＷＥＢページとしては、ＭＯＳの選択画面を表示するＭＯＳ選択ページ、合成動画記憶部１１に記憶している合成動画の選択画面を表示する合成動画選択ページ等がある。電話網通信部１３は携帯電話網３を介して携帯電話と通信する機能部である。ネットワーク制御部１４はインターネット４を介して携帯電話２やパソコン６と通信する機能部である。
【００２６】
携帯電話２は、制御部２０、操作部２１、音声信号処理部２２、表示部２３、動画撮影部２４、記憶部２５、電話網通信部２６、無線通信部２７を有している。制御部２０はマイクロコンピュータで構成され、プログラムによりメーラ部２８、ブラウザ２９を機能的に内蔵している。操作部２１は、テンキー、機能キー、カーソルキー等のキー群およびインタフェースを含んでいる。音声信号処理部２２は、マイクを含み、マイクから入力された音声信号をデジタル信号に変換するＡ／Ｄコンバータ等を含んでいる。表示部２３は液晶ディスプレイと表示制御部を含んでいる。動画撮影部２４は、カメラおよびカメラによって撮影された動画を例えばＭＰＥＧ４に圧縮する圧縮処理部を備えている。記憶部２５は、動画撮影部２４によって撮影された動画や各種データを記憶する。電話網通信部２６は携帯電話網３を介した通信を制御する機能部であり、無線通信部２７は無線の基地局との通信を行う通信部である。
【００２７】
ユーザが動画撮影モードを選択すると、携帯電話２は動画画撮影部２４を起動して動画を撮影し、撮影された動画ファイルを記憶部２５に記憶する。また、ユーザがインターネット閲覧モードを選択すると、携帯電話２はブラウザ２９を起動してインターネットに接続する。
【００２８】
図２を参照してこの合成動画作成システムで作成される合成動画について説明する。携帯電話２のユーザが動画撮影部２４の機能を用いて動画（オリジナル動画）を撮影する。オリジナル動画の長さは任意であるが１５秒程度が適当である。図２の上段はオリジナル動画を適当な間隔でキャプチャしたコマ送り画像である。この図では、果物店の店先で売られている桃の映像から値札の映像にパン（チルト）されてゆくオリジナル動画を例示している。
【００２９】
ユーザはサーバ装置１から送られてくるＭＯＳ選択ページを見て所望のＭＯＳを選択する。図２の中段はユーザによって選択されたＭＯＳのコマ送り画像である。この図では、「一に品質、二にサービス、三四がなくて、五に価格」というキャッチコピーが、時間軸に沿って畳みかけるように「一に品質、」、「二にサービス、」、「三四がなくて」、「五に価格」と切り換わりながら表示されるＭＯＳを例示している。なお、このＭＯＳは、飲食店の料理や店内を撮影したオリジナル動画と合成することで、店舗が消費者に伝えたいメッセージをより分かり易くすることを意図したＭＯＳである。ユーザは、さらに、そのＭＯＳを合成する画面上（オリジナル動画上）の位置や時間軸上の位置（タイミング）を編集することができる。このタイミングや位置を編集する情報は、ＭＯＳ配置情報としてサーバ装置１に送られる。修正情報携帯電話２は、ＭＯＳ選択情報、オリジナル動画、ＭＯＳ配置情報等を電子メール機能を用いてサーバ装置１に送信する。
【００３０】
サーバ装置１は、ユーザが選択したＭＯＳを読み出し、このＭＯＳをオリジナル動画の指定された画面上、時間軸上の位置に合成することによって合成動画を作成する。図２の下段が作成された合成動画のコマ送り画像である。この図では、最初、桃のみが表示され、その後その上に「一に品質、」、「二にサービス、」の文言が順に表示されるとともに映像が桃から値札の方向に移動してゆき、最後に値札の映像の上に「三四がなくて」および大きい文字の「五に価格」が表示される映像となり、この果物店の商品（桃）は、品質が良くて価格がリーズナブルであることが的確に表現されている。サーバ装置１は、動画記憶部１に合成動画、オリジナル動画、ＭＯＳの選択情報等を記憶し、合成動画をＷＥＢページで公開する。
【００３１】
このようにＭＯＳとは、オリジナル動画の意図を明確にするためにメッセージ性、ストーリー性あるいは論理性を有する動画である。動画の構成要素としては、たとえば文字やハートマーク等の意味のある図形が主として用いられる。言い換えれば、ＭＯＳとは、意味を含有させた動画スタンプや、動画エフェクトをつけた文字またはテロップ等からなる付加的な動画である。
【００３２】
すなわち、ユーザが動画を撮影する場合、一応意図を持って撮影するが、撮影のプロフェッショナルではないため、その意図がその映像に良く表されてるとは言えない。そこで、撮影されたオリジナル動画にその映像の意図を補強するようなＭＯＳを合成することで、ユーザの意図が良く表された動画に加工しようとするものである。
【００３３】
上の例にも示したが、たとえばユーザが「飲食店で出された料理や店舗で販売されている食料品を撮影して「美味しい」を表示したい。」というような意図を持って動画を撮影した場合、撮影されたオリジナル動画に美味しいを表すようなＭＯＳを合成することでその意図を明確化することができる。これを用いて、素人であるユーザが自分で撮影した動画を用いて１５秒のコマーシャルスポットを作成することなどが可能になる。
【００３４】
次に、図３〜図５を参照して携帯電話２、サーバ装置１による合成動画の作成手順について説明する。まず、図３、図４において、ユーザが携帯電話２を用いて動画を撮影し、記憶部２５に保存する（Ｓ１００）。ユーザは、携帯電話２のブラウザ部２９を起動してサーバ装置１が設けている合成動画作成用のサイトにアクセスする（Ｓ１０１）。合成動画作成用のサイトは会員制のサイトであり、サーバ装置１は携帯電話２からのアクセスに対して会員認証を行う（Ｓ１０２）。この会員認証は、携帯電話の端末ＩＤや暗証番号入力等で行えばよい。会員認証ののち、サーバ装置１はアクセスしてきた携帯電話２に対して、上述のＭＯＳ選択ページを送信する（Ｓ１０３）。携帯電話２は、このＭＯＳ選択ページを受信して表示部２３に表示する（Ｓ１０４）。
【００３５】
図５（Ａ）〜（Ｃ）は、携帯電話２の表示部２３に表示されるＭＯＳ選択ページの例を示す図である。ＭＯＳ選択ページとして、まず図５（Ａ）に示すページが表示され、ＭＯＳのジャンル選択を受け付ける。ジャンルとは、ＭＯＳの映像の形態の種類であり、この図では、「キャッチコピー」、「アニメーション」、「キャラ・ロゴ・その他」のジャンルの選択肢が表示されている。図６（Ｂ）は、同図（Ａ）のページでキャッチコピーを選択した場合に表示されるページを示す図である。このページには、複数のＭＯＳの冒頭のキャプチャ画像とタイトルが表示されている。ユーザがいずれかのＭＯＳを選択すると、携帯電話２の表示部２３には、図６（Ｃ）のように、選択されたＭＯＳの大きい画像が、再生ボタンおよび選択確定ボタンとともに表示される。
【００３６】
ユーザは、図６（Ａ）、（Ｂ）のページにおいて、複数のＭＯＳのなかからいずれかを選択し、図６（Ｃ）の画面が表示されたところで、そのＭＯＳを試聴する操作を行う。携帯電話２はこの試聴操作を受け付け（Ｓ１０５）、この選択試聴情報をサーバ装置１に対して送信する（Ｓ１０６）。
【００３７】
サーバ装置１はこの選択試聴情報を受信し、選択されたＭＯＳをＭＯＳ記憶部１２から読み出して携帯電話２に対してストリーミング送信する（Ｓ１０７）。携帯電話２はこのストリーミングデータを受信してＭＯＳを再生表示する（Ｓ１０８）。ユーザはこのストリーミング再生されたＭＯＳを試聴して、所望のものであったかを判断し、所望のものであれば、図６（Ｃ）の選択確定ボタン「このＭＯＳを使う」を操作して選択を確定させる（Ｓ１０９でＹｅｓ）。また、所望のものでなければ、ページを図６（Ｂ）または（Ａ）のページに戻して、ＭＯＳの選択をやりなおす（Ｓ１０９でＮｏ）。
【００３８】
ユーザの操作によってページが戻された場合には、携帯電話２は動作をＳ１０４に戻して、再度図６（Ｂ）または（Ａ）のページを表示して選択操作の入力を受け付ける。Ｓ１０９で選択確定操作（ＯＫ操作）が行われた場合には、サーバ装置１に対してＯＫメッセージおよび動画送信を要求するメッセージを送信する（Ｓ１１０）。
【００３９】
動画送信要求を受信したサーバ装置１は、携帯電話２に対してメールソフト（メーラ）起動コマンドを携帯電話２に対して送信する（Ｓ１１１）。メールソフト起動コマンドには、今回の動画合成専用のメールアドレスが付属している。
【００４０】
携帯電話２は、メールソフト起動コマンドを受信してメールソフトを起動する（Ｓ１１２）。携帯電話２は、メールソフトを起動するとともに、メール作成画面を立ち上げ、その宛先欄には上記送られてきたメールアドレスを書き込む。ユーザがオリジナル動画の添付と送信操作をすると、携帯電話２は、このメール作成画面のメールにＳ１００で保存した動画を添付して（Ｓ１１３）、メールを送信する（Ｓ１１４）。このメールは予め作成されたメールアドレス宛に送信される。
【００４１】
サーバ装置１は、携帯電話２から送られてきたメールを受信する。今回の動画合成専用のメールアドレス（メールボックス）が作成されているため、複数の携帯電話２から並行してアクセスがある場合でも、受信したメールがどの携帯電話２からのものであるかを容易に判断することができる。サーバ１は、メールを受信するとＳ１０５で選択されたＭＯＳをＭＯＳ記憶部１２から読み出して、メールで受信したオリジナル動画に合成する合成処理を行う（Ｓ１１５）。このときのオリジナル動画に対するＭＯＳの合成位置およびタイミングは、Ｓ１０８でストリーミング再生したときと同じデフォルト位置およびデフォルトタイミングである。そして、この合成動画を所定のＵＲＬで公開する（Ｓ１１６）。そのＵＲＬを携帯電話２に返信する（Ｓ１１７）。これにより、ユーザは携帯電話２でそのＵＲＬにアクセスすることで合成動画を見ることができる。
【００４２】
ユーザが合成動画を見るために携帯電話２を操作すると、携帯電話２はサーバ装置１から送られてきたＵＲＬにアクセスする（Ｓ１１８）。サーバ装置１は合成動画をストリーミング送信する（Ｓ１１９）。携帯電話２はそのストリーミング動画を受信して再生表示する（Ｓ１２０）。
【００４３】
こののち、サーバ装置１は、ＭＯＳの合成位置、タイミングの修正を受け付けるタイミング・位置修正ページを送信する（Ｓ１２１）。携帯電話２はこのタイミング・位置修正ページを受信して、表示部２３に表示する（Ｓ１２２）。このタイミング・位置修正ページはたとえば図６に示すようなものである。ユーザは、Ｓ１２０の合成動画のストリーミング再生を見て、これで良ければＯＫである旨の入力を行う（Ｓ１２３でＹＥＳ）。ＭＯＳの合成位置、タイミングの修正を行う場合には（Ｓ１２３でＮＯ）、修正を指示する文言（テキストコマンド）を入力する。携帯電話２はこの修正を指示するテキストコマンドの入力を受け付け（Ｓ１２４）、これをサーバ装置１に対して送信する（Ｓ１２５）。
【００４４】
図６に示すタイミング・位置修正ページには、ＭＯＳの出現タイミング（合成タイミング）およびＭＯＳの位置を修正するためのコマンドの入力ウィンドウが表示されている。コマンドの入力ウィンドウは、タイミング・位置それぞれに２つずつ設けられている。１つはプルダウンメニュー形式の入力ウィンドウであり、他の１つは自由にテキストが入力可能なテキスト入力ウィンドウである。図６は、出現タイミングのプルダウンメニューが選択され、プルダウンメニューの選択肢が展開している状態を示している。
【００４５】
テキストコマンドは、タイミングの場合、たとえば、「ちょっと前」、「ちょっと後」、「もっと前」、「もっと後」などである。このような典型的なコマンドはプルダウンメニューに予め登録しておきユーザに選択させることによって、ユーザの入力の手間を省くことが可能である。また、プルダウンメニューの選択肢が選択されれば、どの選択肢が選択されたかでコマンドの内容が判るため、サーバ装置１におけるテキスト解析は不要である。テキスト入力ウィンドウにテキストが入力された場合、そのテキストがそのままサーバ装置１に送信され、サーバ装置１のテキストコマンド解析部１８でその内容が解析される。
【００４６】
サーバ装置１は、携帯電話２に入力されたコマンドに基づいて、オリジナル動画に対するＭＯＳの合成タイミング・位置を修正して再合成する（Ｓ１２７）。そして、この動画が所定のＵＲＬで公開し（Ｓ１１６）、このＵＲＬをメールで携帯電話２に送信する（Ｓ１１７）。このＵＲＬは最初に合成動画を公開したＵＲＬと同じでよい。
【００４７】
合成動画を見たユーザがＯＫである旨の入力を行った場合には（Ｓ１２３でＹＥＳ）、携帯電話２はサーバ装置１に対してＯＫである旨のメッセージを送信する（Ｓ１２８）。ＯＫメッセージを受信したサーバ装置１は、動画記憶部１１に、オリジナル動画、合成動画、ＭＯＳ選択情報およびＭＯＳのタイミング・位置修正情報を保存する（Ｓ１２９）。なお、合成動画は、端末装置の種類ごとに複数種類作成される。すなわち、携帯電話２とパソコン６とでは通信速度、画像表示能力等が異なるため、それらに合わせたものを、同じ内容で作り分ける。また、携帯電話向けのものも、携帯電話のキャリア（携帯電話会社）によって動画の表示方式等が異なるため、複数のキャリアのそれぞれに合わせた合成動画を作成する。
【００４８】
以上の処理により、ユーザは携帯電話２で上記ＵＲＬにアクセスすることで完成された合成動画を見ることができる。また、このＵＲＬをメールで友人・知人に送信したり、ブログに貼り付けたりすることで、友人・知人に広くその合成動画を公開することができる。
【００４９】
ここで、図７を参照して、合成動画の閲覧手順について説明する。なお、合成動画の閲覧は携帯電話２だけでなく、他の携帯電話、パーソナルコンピュータでも可能である。端末装置（携帯電話、パソコン）が、サーバ装置１から送られてきたＵＲＬにアクセスすると（Ｓ１４０）、サーバ装置１はアクセスしてきた端末装置が携帯電話であるかＰＣであるかを判定する（Ｓ１４１）。さらに携帯電話の場合にはそのキャリア（電話会社）も判定する。そしてその端末装置の種類に合わせた合成動画をストリーミング送信する（Ｓ１４２）。端末装置はそのストリーミング動画を受信して再生表示する（Ｓ１４３）。
【００５０】
上記実施形態において、オリジナル動画に対するＭＯＳの合成について、画面上の位置および出現タイミングの両方を修正可能にしているが、いずれか一方のみでもよい。
【００５１】
なお、ＭＯＳに音楽、効果音などの音声を付加することによって、映像のみの場合よりも、ものがたり性やメッセージ性をより強化することができる。
【００５２】
さらに、ＭＯＳにユーザによる任意のテキストを付加できるようにしてもよい。ユーザが入力したテキストをＭＯＳで表示することにより、ユーザの表現をより豊かにすることができる。この場合において、ユーザによるテキスト入力の受け付けは、図３、図４の手順のなかで、ＭＯＳの選択が確定したのち、ＭＯＳのタイミング・位置の調整と前後する任意のタイミングで行えばよい。
【００５３】
また、パソコン６に「手書きＭＯＳ登録機能」を設けてもよい。「手書きＭＯＳ登録機能」とは、ユーザによるイラスト、記号、テキスト等の手書き入力を受け付け、手書き入力された内容を時間軸に沿って移動および／または変形を加えることによって動画化し、ＭＯＳとしてサーバ装置１に登録する機能である。このようにして登録された手書きＭＯＳは既存のＭＯＳと同様に使用することができる。
【００５４】
また、歌謡曲の「サビ」の歌詞と音楽からなるＭＯＳを配布し、ユーザに「カラオケ動画」（歌詞と音楽にふさわしいシーンを撮影した動画）のコンテスト参加を呼びかけることで、ユーザにその歌謡曲と「サビ」を記憶させ、その歌謡曲のプロモーションに役立てることができる。
【００５５】
このように、ＣＭにおいて、商品の価値を表現する動画にキャッチコピーや企業のロゴが合成されることによって、ブランド価値が視聴者の記憶に刷り込まれるように、ＭＯＳはアマチュアが携帯電話のカメラで撮影した動画（または静止画）の限定された表現力を補い、見る者に明確かつインパクトのあるメッセージを伝達することを可能にする。
【符号の説明】
【００５６】
１  サーバ装置
２  携帯電話
３  携帯電話網
４  インターネット
６  パーソナルコンピュータ
【図１】
2011091725.tif 000003
【図２】
2011091725.tif 000004
【図３】
2011091725.tif 000005
【図４】
2011091725.tif 000006
【図５】
2011091725.tif 000007
【図６】
2011091725.tif 000008
【図７】
2011091725.tif 000009